Podtech/llm-jp-corpus-v4-ja_patent huggingface dataset:
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
撮像光学系の光軸に対してシフト可能なシフト素子を駆動しながら、移動する被写体に対する静止画撮像を行う撮像装置を制御する撮像制御装置であって、
前記撮像装置により生成された撮像映像のうち複数の被写体領域のそれぞれにおいて検出された動きベクトルを取得する動きベクトル取得手段と、
前記シフト素子の駆動を制御するとともに前記静止画撮像を制御する制御手段とを有し、
前記制御手段は、前記検出された複数の動きベクトルの大きさが互いに異なる場合に、前記複数の動きベクトルのそれぞれに応じて前記シフト素子の駆動量を順次変更しながら前記撮像装置に複数の前記静止画撮像を行わせることを特徴とする撮像制御装置。
【請求項２】
前記制御手段は、前記複数の動きベクトルの大きさに応じて、該複数の動きベクトルのそれぞれに応じた駆動量での前記シフト素子の駆動の順序を設定することを特徴とする請求項１に記載の撮像制御装置。
【請求項３】
前記制御手段は、前記複数の動きベクトルのうち最も大きい又は最も小さい動きベクトルに応じた駆動量での前記シフト素子の駆動から行うことを特徴とする請求項２に記載の撮像制御装置。
【請求項４】
前記制御手段は、前記撮像装置または該撮像装置に装着された交換レンズの動きの検出により得られる動き速度に応じて、前記複数の動きベクトルのそれぞれに応じた駆動量での前記シフト素子の駆動の順序を設定することを特徴とする請求項１に記載の撮像制御装置。
【請求項５】
前記制御手段は、
前記動き速度が前記被写体の速度よりも速い場合に、前記複数の動きベクトルのうち最も小さい動きベクトルに応じた駆動量での前記シフト素子の駆動から行い、
前記動き速度が前記被写体の速度よりも遅い場合に、前記複数の動きベクトルのうち最も大きい動きベクトルに応じた駆動量での前記シフト素子の駆動から行うことを特徴とする請求項４に記載の撮像制御装置。
【請求項６】
前記制御手段は、前記複数の動きベクトルのそれぞれの出現頻度に応じて、前記複数の動きベクトルのそれぞれに応じた駆動量での前記シフト素子の駆動の順序を設定することを特徴とする請求項１に記載の撮像制御装置。
【請求項７】
前記制御手段は、前記複数の動きベクトルのうち、前記撮像光学系の焦点状態を検出する焦点検出領域に含まれる前記被写体領域で検出された動きベクトルに応じた駆動量での前記シフト素子の駆動から行うことを特徴とする請求項１に記載の撮像制御装置。
【請求項８】
被写体の撮像を行う撮像手段と、
請求項１から７のいずれか一項に記載の撮像制御装置と、
前記動きベクトルを検出する検出手段とを少なくとも有し、
前記シフト素子を有する交換レンズが装着される又は前記シフト素子を有することを特徴とする撮像装置。
【請求項９】
撮像光学系の光軸に対してシフト可能なシフト素子を駆動しながら、移動する被写体に対する静止画撮像を行う撮像装置をコンピュータに制御させるコンピュータプログラムであって、
前記コンピュータに、
前記撮像装置により生成された撮像映像のうち複数の被写体領域のそれぞれにおいて検出された動きベクトルを取得させ、
前記シフト素子の駆動を制御するとともに前記静止画撮像を制御する処理を行わせ、
前記処理は、前記検出された複数の動きベクトルの大きさが互いに異なる場合に、前記複数の動きベクトルのそれぞれに応じて前記シフト素子の駆動量を順次変更しながら前記撮像装置に複数の前記静止画撮像を行わせる処理であることを特徴とする撮像制御プログラム。
【手続補正２】
【補正対象書類名】明細書
【補正対象項目名】０００７
【補正方法】変更
【補正の内容】
【０００７】
本発明の一側面としての撮像制御装置は、撮像光学系の光軸に対してシフト可能なシフト素子を駆動しながら、移動する被写体に対する静止画撮像を行う撮像装置を制御する。該撮像制御装置は、撮像装置による動画撮像により生成された映像のうち複数の被写体領域のそれぞれにおいて検出された動きベクトルを取得する動きベクトル取得手段と、シフト素子の駆動を制御するとともに静止画撮像を制御する制御手段とを有する。そして、制御手段は、検出された複数の前記動きベクトルの大きさが互いに異なる場合に、複数の動きベクトルのそれぞれに応じてシフト素子の駆動量を順次変更しながら撮像装置に複数の静止画撮像を行わせることを特徴とする。
【手続補正３】
【補正対象書類名】明細書
【補正対象項目名】０００９
【補正方法】変更
【補正の内容】
【０００９】
さらに、本発明の他の一側面としての撮像制御プログラムは、撮像光学系の光軸に対してシフト可能なシフト素子を駆動しながら、移動する被写体に対する静止画撮像を行う撮像装置をコンピュータに制御させるコンピュータプログラムである。該プログラムは、コンピュータに、撮像装置による動画撮像により生成された映像のうち複数の被写体領域のそれぞれにおいて検出された動きベクトルを取得させ、シフト素子の駆動を制御するとともに静止画撮像を制御する処理を行わせる。そして、該処理は、検出された複数の動きベクトルの大きさが互いに異なる場合に、複数の動きベクトルのそれぞれに応じてシフト素子の駆動量を順次変更しながら撮像装置に複数の静止画撮像を行わせる処理であることを特徴とする。
【手続補正４】
【補正対象書類名】明細書
【補正対象項目名】００２０
【補正方法】変更
【補正の内容】
【００２０】
アナログ信号処理回路１２３は、撮像素子１２２からのアナログ撮像信号を増幅し、さらに増幅されたアナログ撮像信号をデジタル撮像信号に変換する。カメラ信号処理回路１２４は、デジタル撮像信号に対して各種画像処理を行って映像信号（撮像映像）や静止画像信号（撮像静止画）を生成する。撮像素子１２２とアナログ信号処理回路１２３とカメラ信号処理回路１２４により、撮像手段が構成される。また、カメラ信号処理回路１２４は、映像信号から被写体が存在する領域（被写体領域）を抽出する被写体抽出部１４２と、映像信号のうち被写体領域における動きベクトルを検出する動きベクトル検出部１４１とを有する。
【手続補正５】
【補正対象書類名】明細書
【補正対象項目名】００４３
【補正方法】変更
【補正の内容】
【００４３】
図６を用いて被写体の角速度の算出方法を説明する。図６には、実際の被写体がｔ秒間に点Ａから点Ｂに移動し、これに応じて撮像素子１２２上の被写体像が点Ｃから点Ｄに移動したことを示している。点Ｃと点Ｄとの距離をν［ｐｉｘｅｌ］とし、撮像光学系１０１の焦点距離をｆ［ｍｍ］とし、撮像素子１２２の画素ピッチをｐ［μｍ／ｐｉｘｅｌ］とする。このとき、像面上での被写体の角速度ω［ｒａｄ／ｓｅｃ］は以下の式（１）で表わされる。
【手続補正６】
【補正対象書類名】図面
【補正対象項目名】図１
【補正方法】変更
【補正の内容】
【図１】
2017005400.tif 000001
【手続補正７】
【補正対象書類名】図面
【補正対象項目名】図８
【補正方法】変更
【補正の内容】
【図８】
2017005400.tif 000002
【手続補正８】
【補正対象書類名】図面
【補正対象項目名】図１０
【補正方法】変更
【補正の内容】
【図１０】
2017005400.tif 000003
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
光を光電変換することによって光信号を生成し、前記光信号を出力する画素と、参照信号供給部と、比較部と、クロック信号を計数することによってカウント信号を生成するカウンタとを有する撮像装置であって、
前記参照信号供給部は、第１の期間にわたり、第１の振幅範囲で電位が時間の経過にともなって変化する第１のランプ信号と、第２の期間にわたり、前記第１の振幅範囲を含むとともに前記第１の振幅範囲よりも最大振幅が大きい第２の振幅範囲で電位が時間の経過にともなって変化するとともに、前記第１のランプ信号と単位時間当たりの電位の変化量が同じである第２のランプ信号とを生成し、
前記比較部は、一の前記光信号と前記第１のランプ信号との比較である第１の比較による第１の比較結果信号と、前記一の光信号と前記第２のランプ信号との比較である第２の比較による第２の比較結果信号とをそれぞれ生成し、
前記一の光信号に基づくデジタル信号として、前記第１の比較結果信号の信号レベルが変化するタイミングにおける前記カウント信号と、前記第２の比較結果信号の信号レベルが変化するタイミングにおける前記カウント信号とのそれぞれが生成され、
前記比較部は、前記第１の比較を行って前記第１の比較結果信号を出力する第１の比較器と、前記第２の比較を行って前記第２の比較結果信号を出力する第２の比較器とを有し、
前記第２の比較が開始されてから、前記第２の比較が行われている期間に前記第１の比較が開始されることを特徴とする撮像装置。
【請求項２】
前記第１の振幅範囲の最大振幅が、前記第２の振幅範囲の最大振幅の１／２以下、１／８以上であることを特徴とする請求項１に記載の撮像装置。
【請求項３】
前記比較部は、前記第１の比較結果信号と前記第２の比較結果信号のそれぞれを前記カウンタに出力し、
前記カウンタは、前記第１の比較結果信号の信号レベルの変化に応じて前記カウント信号を第１のカウント信号として保持し、さらに前記カウンタは、前記第２の比較において、前記第１のカウント信号から前記クロック信号の計数を開始し、前記第２の比較結果信号の信号レベルの変化に応じて前記カウント信号を第２のカウント信号として保持することを特徴とする請求項１または２に記載の撮像装置。
【請求項４】
前記撮像装置はさらに前記カウンタから前記カウント信号が出力されるメモリを有し、
前記メモリは、前記第１の比較結果信号の信号レベルの変化に応じて前記カウント信号を第１のカウント信号として保持し、
前記メモリは、前記第２の比較結果信号の信号レベルの変化に応じて前記カウント信号を第２のカウント信号として保持することを特徴とする請求項１または２に記載の撮像装置。
【請求項５】
複数列にわたって配された複数の前記画素と、前記複数の画素の配された列に各々が対応して配された複数のＡＤ変換部と、演算部とを有し、
前記複数のＡＤ変換部の各々は、前記比較部と、前記メモリとを有し、
前記複数のＡＤ変換部のうち、前記第１の比較結果信号の信号レベルが前記第１の比較において変化せず、前記第２の比較結果信号の信号レベルが前記第２の比較において変化したＡＤ変換部である第１のＡＤ変換部が有する前記メモリは、前記第１のカウント信号を保持せず前記第２のカウント信号を保持し、
前記複数のＡＤ変換部のうち、前記第１の比較結果信号の信号レベルが前記第１の比較において変化し、前記第２の比較結果信号の信号レベルが前記第２の比較において変化したＡＤ変換部である第２のＡＤ変換部が有する前記メモリは、前記第１のカウント信号と前記第２のカウント信号とのそれぞれを保持し、
前記演算部は、前記第１のＡＤ変換部の前記メモリが保持した前記第２のカウント信号を増幅し、
前記第２のＡＤ変換部の前記メモリが保持した前記第１のカウント信号と前記第２のカウント信号とを加算することを特徴とする請求項４に記載の撮像装置。
【請求項６】
複数列にわたって配された複数の前記画素と、前記複数の画素の配された列に各々が対応して配された複数のＡＤ変換部と、演算部とを有し、
前記複数のＡＤ変換部の各々は、前記比較部と、前記メモリとを有し、
前記複数のＡＤ変換部のうち、前記第１の比較結果信号の信号レベルが前記第１の比較において変化せず、前記第２の比較結果信号の信号レベルが前記第２の比較において変化したＡＤ変換部である第１のＡＤ変換部が有する前記メモリは、前記第１のカウント信号を保持せず前記第２のカウント信号を保持し、
前記複数のＡＤ変換部のうち、前記第１の比較結果信号の信号レベルが前記第１の比較において変化し、前記第２の比較結果信号の信号レベルが前記第２の比較において変化したＡＤ変換部である第２のＡＤ変換部が有する前記メモリは、前記第１のカウント信号と前記第２のカウント信号とのそれぞれを保持し、
前記第１のＡＤ変換部の前記メモリは、前記第２のカウント信号を複製することによって複数の前記第２のカウント信号を生成し、
前記演算部は、前記第１のＡＤ変換部の前記メモリが生成した前記複数の第２のカウント信号を加算し、
前記第２のＡＤ変換部の前記メモリが保持した前記第１のカウント信号と前記第２のカウント信号とを加算することを特徴とする請求項４に記載の撮像装置。
【請求項７】
前記撮像装置はさらに処理部を有し、
前記処理部が、前記第１のカウント信号と前記第２のカウント信号とを加算した信号を生成することを特徴とする請求項３〜６のいずれか１項に記載の撮像装置。
【請求項８】
前記画素と前記比較部との間の電気的経路に前記光信号を増幅する増幅器を有し、
前記比較部は、前記増幅器が増幅した光信号と、前記第１のランプ信号および前記第２のランプ信号のそれぞれと比較することを特徴とする請求項１〜７のいずれか１項に記載の撮像装置。
【請求項９】
請求項１〜８のいずれか１項に記載の撮像装置と、
前記撮像装置が出力する信号を処理することによって画像を生成する信号処理部とを有することを特徴とする撮像システム。
【請求項１０】
請求項３〜６のいずれか１項に記載の撮像装置と、
前記撮像装置が出力する信号を処理することによって画像を生成する信号処理部とを有し、
前記信号処理部が、前記第１のカウント信号と前記第２のカウント信号とを加算した信号を生成することを特徴とする撮像システム。
【請求項１１】
請求項５に記載の撮像装置と、
前記演算部が出力する信号を処理することによって画像を生成する信号処理部とを有する撮像システムであって、
前記信号処理部は、
前記第１のＡＤ変換部の前記メモリが保持した前記第２のカウント信号を前記演算部が増幅した信号と、前記第２のＡＤ変換部の前記メモリが保持した前記第１のカウント信号と前記第２のカウント信号とを前記演算部が加算した信号との差を得ることを特徴とする撮像システム。
【請求項１２】
請求項６に記載の撮像装置と、
前記演算部が出力する信号を処理することによって画像を生成する信号処理部とを有する撮像システムであって、
前記信号処理部は、
前記第１のＡＤ変換部の前記メモリが生成した前記複数の第２のカウント信号を前記演算部が加算して生成した信号と、前記第２のＡＤ変換部の前記メモリが保持した前記第１のカウント信号と前記第２のカウント信号とを前記演算部が加算して生成した信号との差を得ることを特徴とする撮像システム。
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
搬送通路を通過するシートの第１面の画像を読み取る第１画像読取手段と、
前記第１画像読取手段と前記搬送通路を挟んで設けられ、シートの第１面とは逆の第２面の画像を読み取る第２画像読取手段と、
導電性材料によるコート処理が施され、前記搬送通路を通過するシートをガイドするガイド面を有し、前記第１画像読取手段と前記搬送通路を通過するシートの第１面との間に介在するように前記搬送通路に沿って配置された第１透明ガイド部材と、
導電性材料によるコート処理が施され、前記搬送通路を通過するシートをガイドするガイド面を有し、前記第２画像読取手段と前記搬送通路を通過するシートの第２面との間に介在するように前記搬送通路に沿って、かつ前記搬送通路を挟んで前記第１透明ガイドに対向するように配置された第２透明ガイド部材と、
前記第１透明ガイド部材に設けられ、前記第１透明ガイド部材を接地させる接地手段と、
前記第１透明ガイド部材及び前記第２透明ガイド部材の一方に設けられ、前記第１透明ガイド部材及び前記第２透明ガイド部材の他方に当接して前記第１透明ガイド部材及び前記第２透明ガイド部材を導通させる導通手段であって、前記搬送通路を搬送されるシートのシート搬送方向に直交する幅方向に関して、シートが通過する領域の外側で前記第１透明ガイド部材及び前記第２透明ガイド部材の他方に当接するように配置された導通手段と、を備え、
前記第２透明ガイド部材は、前記導通手段、前記第１透明ガイド及び前記接地手段を介して接地されることを特徴とする画像読取装置。
【請求項２】
前記接地手段は、前記第１透明ガイド部材のガイド面と導通されていることを特徴とする請求項１記載の画像読取装置。
【請求項３】
前記導通手段は、弾性部材と、前記弾性部材の表面に設けられた導電性を有するフィルムとを有することを特徴とする請求項１又は２に記載の画像読取装置。
【請求項４】
前記導通手段は導電性を有するシート状部材であることを特徴とする請求項１又は２に記載の画像読取装置。
【請求項５】
前記導通手段は導電性を有する弾性部材であることを特徴とする請求項１又は２に記載の画像読取装置。
【請求項６】
前記導通手段により、前記第１透明ガイド部材及び前記第２透明ガイド部材の間隔はシートの通過が可能な間隔に保たれることを特徴とする請求項１乃至５の何れか１項に記載の画像読取装置。
【請求項７】
前記導通手段は、前記幅方向において、前記第１画像読取手段及び前記第２画像読取手段が搬送されるシートの画像を読み取ることが可能な画像読取領域の外側に設けられていることを特徴とする請求項１乃至６の何れか１項に記載の画像読取装置。
【請求項８】
前記搬送通路を介してシートを搬送するシート搬送装置をさらに備え、
前記シート搬送方向に搬送されるシートが通過する前記領域の、前記幅方向における長さが、前記シート搬送装置が搬送可能なシートの前記幅方向における最大サイズより大きいことを特徴とする請求項１乃至７の何れか１項に記載の画像読取装置。
【請求項９】
画像読取装置本体と、
前記画像読取装置本体に開閉可能に設けられ、シートを搬送するシート搬送装置と、を備え、
前記画像読取装置本体に前記第１透明ガイド部材及び前記第１画像読取手段が配置され、前記シート搬送装置に前記第２透明ガイド部材及び前記第２画像読取手段が配置されたことを特徴とする請求項１乃至７の何れか１項に記載の画像読取装置。
【請求項１０】
前記シート搬送装置を前記画像読取装置本体に対して開閉可能に支持するヒンジ部を備え、
前記画像読取装置本体に配置された前記第１透明ガイド部材は、前記ヒンジ部を介して接地されることを特徴とする請求項９記載の画像読取装置。
【請求項１１】
前記画像読取装置本体の前記第１透明ガイド部材に対して前記シート搬送方向の下流に設けられ、シートが載置される載置台をさらに備え、
前記第１画像読取手段は、前記画像読取装置本体の上面に載置されたシートの画像を読み取るための第１の位置と、前記シート搬送装置により搬送されるシートの画像を読み取る第２の位置とに移動可能であり、前記第２の位置を、前記第１の位置よりも前記シート搬送方向の下流側としたことを特徴とする請求項９又は１０記載の画像読取装置。
【請求項１２】
画像読取装置本体を備え、
前記接地手段は、前記画像読取装置本体の筐体と導通され、
前記導通手段は、前記画像読取装置本体の筐体に当接することを特徴とする請求項１記載の画像読取装置。
【請求項１３】
シートの画像を読み取る請求項１乃至１２の何れか１項に記載の画像読取装置と、前記画像読取装置により読み取られた画像情報に基づいて画像を形成する画像形成部と、を備えたことを特徴とする画像形成装置。
【手続補正２】
【補正対象書類名】明細書
【補正対象項目名】００１１
【補正方法】変更
【補正の内容】
【００１１】
本発明は、画像読取装置において、搬送通路を通過するシートの第１面の画像を読み取る第１画像読取手段と、前記第１画像読取手段と前記搬送通路を挟んで設けられ、シートの第１面とは逆の第２面の画像を読み取る第２画像読取手段と、導電性材料によるコート処理が施され、前記搬送通路を通過するシートをガイドするガイド面を有し、前記第１画像読取手段と前記搬送通路を通過するシートの第１面との間に介在するように前記搬送通路に沿って配置された第１透明ガイド部材と、導電性材料によるコート処理が施され、前記搬送通路を通過するシートをガイドするガイド面を有し、前記第２画像読取手段と前記搬送通路を通過するシートの第２面との間に介在するように前記搬送通路に沿って、かつ前記搬送通路を挟んで前記第１透明ガイドに対向するように配置された第２透明ガイド部材と、前記第１透明ガイド部材に設けられ、前記第１透明ガイド部材を接地させる接地手段と、前記第１透明ガイド部材及び前記第２透明ガイド部材の一方に設けられ、前記第１透明ガイド部材及び前記第２透明ガイド部材の他方に当接して前記第１透明ガイド部材及び前記第２透明ガイド部材を導通させる導通手段であって、前記搬送通路を搬送されるシートのシート搬送方向に直交する幅方向に関して、シートが通過する領域の外側で前記第１透明ガイド部材及び前記第２透明ガイド部材の他方に当接するように配置された導通手段と、を備え、前記第２透明ガイド部材は、前記導通手段、前記第１透明ガイド及び前記接地手段を介して接地されることを特徴とするものである。
【誤訳訂正書】
【提出日】平成30年6月14日(2018.6.14)
【誤訳訂正１】
【訂正対象書類名】明細書
【訂正対象項目名】００４８
【訂正方法】変更
【訂正の内容】
【００４８】
上述のいずれかの実施例において、UEは、設定されたアップリンクリソースによって、媒体アクセス制御（MAC）プロトコルデータユニット（PDU）をパディングのみとともに送信するわけではない。パディングは、(i)パディングビット、(ii)パディングビットに関連する少なくとも１つのサブヘッダ、(iii)3GPP  TS  36.321のバージョン12.5.0に開示されているパディングバッファ状態報告（BSR）に対応するMAC制御要素、（iv）パディングBSRに対応するMAC制御要素に関連するサブヘッダ、（v）3GPP  TS  36.321のバージョン12.5.0に開示されているパディングサイドリンクBSRに対応するMAC制御要素、および／または（vi）パディングサイドリンクBSRに対応するMAC制御要素に関連するサブヘッダを含む。
【誤訳訂正２】
【訂正対象書類名】明細書
【訂正対象項目名】００８５
【訂正方法】変更
【訂正の内容】
【００８５】
様々な実施例において、UEは、割当て要求やBSR制御要素を送信する前に、あるいは送信に使用可能なデータが存在しない場合に、第２のシグナリングを受信する。別の実施例では、UEは、設定されたアップリンクリソースによって、MAC  PDUをパディングのみとともに送信するわけではない。
【誤訳訂正３】
【訂正対象書類名】明細書
【訂正対象項目名】００８６
【訂正方法】変更
【訂正の内容】
【００８６】
上述の実施例のいずれかにおいて、UEは、設定されたアップリンクリソースによって、媒体アクセス制御（MAC）プロトコルデータユニット（PDU）をパディングのみとともに送信するわけではない。他の実施例において、パディングはパディングビットを含む。あるいは、パディングは、パディングビットに関連付けられた少なくとも１つのサブヘッダを含む。また、パディングは、パディングバッファ状態報告（BSR）に対応するMAC制御要素を含んでいてもよい。パディングは、パディングBSRに対応するMAC制御要素に関連するサブヘッダを含んでいてもよい。別の実施例では、パディングは、パディングサイドリンクBSRに対応するMAC制御要素を含む。あるいは、パディングは、パディングサイドリンクBSRに対応するMAC制御要素に関連するサブヘッダを含む。
【手続補正書】
【提出日】平成29年12月22日(2017.12.22)
【手続補正１】
【補正対象書類名】明細書
【補正対象項目名】００７６
【補正方法】変更
【補正の内容】
【００７６】
（第３の実施形態）
図１６から１８を参照しながら、第３の実施形態に係る撮像装置３を説明する。
【手続補正書】
【提出日】平成30年4月9日(2018.4.9)
【手続補正１】
【補正対象書類名】特許請求の範囲
【補正対象項目名】請求項３
【補正方法】変更
【補正の内容】
【請求項３】
前記テープ供給手段と、前記プリカット手段と、前記テープ貼り付け手段とを、前記フレーム供給手段と前記マウント手段とは独立動作制御可能に構成し、前記テープ供給手段と、前記プリカット手段と、前記テープ貼り付け手段とを独立動作制御して、ダイシングフレームに貼り付けテープを貼り付けた貼り付けテープ貼り付けフレームを作製するようにしたことを特徴とする請求項１または２のいずれかに記載の基板のマウント装置。
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
装置本体の筐体の一部を形成する本体カバーと、
該本体カバーの内側に配置され、前記装置本体の構造体に固定されるユニット装置とを備える筐体装置において、
前記ユニット装置は、三箇所以上の支持部で前記構造体に支持され、
前記本体カバーの少なくとも一部が前記装置本体の内側に変位するように前記本体カバーが変形したときに、前記本体カバーの変位した部分と、前記ユニット装置とが接触するカバー変形時接触部が、前記支持部を仮想直線で結んで形成される仮想多角形の内側に位置することを特徴とする筐体装置。
【請求項２】
請求項１の筐体装置において、
前記カバー変形時接触部として、前記本体カバーの内側に突起部を備えることを特徴とする筐体装置。
【請求項３】
請求項１または２の何れかに記載の筐体装置において、
前記カバー変形時接触部として、前記ユニット装置における前記本体カバーとの対向面に突起部を備えることを特徴とする筐体装置。
【請求項４】
請求項１乃至３の何れかに記載の筐体装置において、
前記ユニット装置は、前記本体カバーとの対向面を形成するユニットカバーを備え、
前記ユニットカバーの少なくとも一部が前記ユニット装置の内側に変位するように前記ユニットカバーが変形したときに、前記ユニットカバーの変位した部分の内側の面に接触するユニットカバー変形接触部を前記ユニット装置が備えることを特徴とする筐体装置。
【請求項５】
請求項１乃至４の何れかに記載の筐体装置において、
前記ユニット装置を複数備え、
複数の前記ユニット装置のそれぞれと、前記本体カバーと、について前記カバー変形時接触部を備えることを特徴とする筐体装置。
【請求項６】
請求項１乃至５の何れかに記載の筐体装置において、
前記本体カバーは、上面カバーであることを特徴とする筐体装置。
【請求項７】
電子写真方式の画像形成装置において、
請求項１乃至６の何れかに記載の筐体装置の構成を備えたことを特徴とする画像形成装置。
【請求項８】
請求項７の画像形成装置において、
前記ユニット装置は、潜像担持体に露光光を照射する書込ユニットであることを特徴とする画像形成装置。
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
絶縁層と、
前記絶縁層に埋め込まれて配置され、上面全体が前記絶縁層から露出し、側面及び下面が前記絶縁層で被覆されたパッドと、
前記パッドの上面に形成され、前記パッドとの付け根にくびれ部を備えた金属ポストと
を有することを特徴とする配線基板。
【請求項２】
前記金属ポストの上面の高さは、前記絶縁層の上面の高さよりも高いことを特徴とする請求項１に記載の配線基板。
【請求項３】
前記金属ポストの面積は前記パッドの面積よりも小さいことを特徴とする請求項１又は２に記載の配線基板。
【請求項４】
前記金属ポストの上端縁部は曲面部となっていることを特徴とする請求項１乃至３のいずれか一項に記載の配線基板。
【請求項５】
前記金属ポストは、前記パッドの上に配置された金属箔と、前記金属箔の上に配置された金属めっき部とから形成され、
前記金属箔の側面が前記金属めっき部の側面から内側に後退して前記くびれ部が形成されていることを特徴とする請求項１乃至４のいずれか一項に記載の配線基板。
【請求項６】
絶縁層と、
前記絶縁層に埋め込まれて配置され、上面全体が前記絶縁層から露出し、側面及び下面が前記絶縁層で被覆されたパッドと、
前記パッドの上面に形成され、前記パッドとの付け根にくびれ部を備えた金属ポストと
を備えた配線基板と、
前記金属ポストにはんだを介して端子が接続された電子部品と、
前記電子部品と前記配線基板との間に形成された封止樹脂と
を有することを特徴とする電子部品装置。
【請求項７】
剥離できる状態で金属箔が形成された仮基板を用意する工程と、
前記仮基板上の金属箔の上に、パッドを有する配線層を形成する工程と、
前記金属箔から前記仮基板を剥離する工程と、
電解めっきに基づいて、前記パッド上の前記金属箔の上に金属めっき部を形成する工程と、
前記金属めっき部をマスクにして前記金属箔をウェットエッチングして、前記パッドの上に金属ポストを形成する工程とを有することを特徴とする配線基板の製造方法。
【請求項８】
前記金属めっき部を形成する工程は、
前記金属箔の上に、前記パッド上の領域に開口部が配置されためっきレジスト層を形成する工程と、
前記めっきレジスト層の開口部に前記金属めっき部を形成する工程と、
前記めっきレジスト層を除去する工程と
を含むことを特徴とする請求項７に記載の配線基板の製造方法。
【請求項９】
前記金属めっき部を形成する工程において、
前記金属めっき部の面積は、前記パッドの面積よりも小さいことを特徴とする請求項７又は８に記載の配線基板の製造方法。
【請求項１０】
前記金属箔及び前記金属めっき部は銅から形成され、
前記金属箔をウェットエッチングする工程において、エッチャントとして硫酸と過酸化水素水との混合液が使用されることを特徴とする請求項７乃至９のいずれか一項に記載の配線基板の製造方法。
【手続補正２】
【補正対象書類名】明細書
【補正対象項目名】０００８
【補正方法】変更
【補正の内容】
【０００８】
以下の開示の一観点によれば、絶縁層と、前記絶縁層に埋め込まれて配置され、上面全体が前記絶縁層から露出し、側面及び下面が前記絶縁層で被覆されたパッドと、前記パッドの上面に形成され、前記パッドとの付け根にくびれ部を備えた金属ポストとを有する配線基板が提供される。
【手続補正３】
【補正対象書類名】明細書
【補正対象項目名】０００９
【補正方法】変更
【補正の内容】
【０００９】
また、その開示の他の観点によれば、絶縁層と、前記絶縁層に埋め込まれて配置され、上面全体が前記絶縁層から露出し、側面及び下面が前記絶縁層で被覆されたパッドと、前記パッドの上面に形成され、前記パッドとの付け根にくびれ部を備えた金属ポストとを備えた配線基板と、前記金属ポストにはんだを介して端子が接続された電子部品と、前記電子部品と前記配線基板との間に形成された封止樹脂とを有する電子部品装置が提供される。
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
絶縁性シート基材層と、
導電性材料と光硬化樹脂とを含む混合剤からなる混合剤層と、
を有することを特徴とする回路パターン形成用シート。
【請求項２】
前記導電性材料は、平均径が１０μｍの銀粒子であって、前記混合材層には、前記銀粒子が８３ｗｔ％含まれることを特徴とする請求項１に記載の回路パターン形成用シート。
【請求項３】
前記絶縁性シート基材層の上下を前記混合剤層で挟み込んだことを特徴とする請求項１または２に記載の回路パターン形成用シート。
【請求項４】
前記絶縁性シート基材層と前記混合剤層とが交互に積み重なったことを特徴とする請求項１または２に記載の回路パターン形成用シート。
【請求項５】
前記絶縁性シート基材層は、粘着性を有するフレキシブル基材であることを特徴とする請求項１乃至４のいずれか１項に記載の回路パターン形成用シート。
【請求項６】
請求項１乃至５のいずれか１項に記載の回路パターン形成用シートに光線を照射して回路パターンを形成する形成手段を備えることを特徴とする回路パターン製造装置。
【請求項７】
前記形成手段は、光学エンジンとして、
筐体と、
前記筐体内の一辺に配置されて、レーザ光を発射するレーザダイオードと、
前記レーザダイオードからのレーザ光を反射させるプリズムミラーと、
前記プリズムミラーから入射したレーザ光を、前記筐体の底面に向けて反射する傾斜ミラーと、
前記傾斜ミラーからの反射光を上方に反射するため、前記筐体の底面に設けられた底面ミラーと、
前記底面ミラーからの反射光を、垂直方向および水平方向に角度を変えつつ反射する駆動ミラーと、
を備えることを特徴とする請求項６に記載の回路パターン製造装置。
【請求項８】
前記形成手段は、光学エンジンとして、
筐体と、
前記筐体内の一辺に配置されて、レーザ光を発射する少なくとも１つの第１レーザダイオードおよび第２レーザダイオードと、
前記第１レーザダイオードからのレーザ光を反射させ、前記第２レーザダイオードの光軸に合わせてさらに反射させるプリズムミラーと、
前記プリズムミラーから入射したレーザ光束を、前記筐体の底面に向けて反射する傾斜ミラーと、
前記傾斜ミラーからの反射光を上方に反射するため、前記筐体の底面に設けられた底面ミラーと、
前記底面ミラーからの反射光を、垂直方向および水平方向に角度を変えつつ反射する駆動ミラーと、
を備えることを特徴とする請求項６に記載の回路パターン製造装置。
【請求項９】
請求項１乃至５のいずれか１項に記載の回路パターン形成用シートに光線を照射して回路パターンを形成する形成ステップを含むことを特徴とする回路パターン製造方法。
【請求項１０】
請求項１乃至５のいずれか１項に記載の回路パターン形成用シートに光線を照射して回路パターンを形成する形成ステップをコンピュータに実行させることを特徴とする回路パターン製造プログラム。
【手続補正書】
【提出日】平成30年6月4日(2018.6.4)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
トランジスタを有する半導体装置であって、
前記トランジスタは、
第１のゲート電極と、
前記第１のゲート電極上の第１のゲート絶縁膜と、
前記第１のゲート絶縁膜上の第１の酸化物半導体膜と、
前記第１の酸化物半導体膜上の第２のゲート絶縁膜と、
前記第２のゲート絶縁膜上の第２の酸化物半導体膜と、を有し、
前記第２の酸化物半導体膜は、第２のゲート電極として機能する領域を有し、
前記第２の酸化物半導体膜と重なる領域において、前記第１の酸化物半導体膜は、第１の層と、前記第１の層の上面と接し、且つ前記第１の層のチャネル幅方向の側面を覆う第２の層と、を有することを特徴とする半導体装置。
【請求項２】
トランジスタを有する半導体装置であって、
前記トランジスタは、
第１のゲート電極と、
前記第１のゲート電極上の第１のゲート絶縁膜と、
前記第１のゲート絶縁膜上の第１の酸化物半導体膜と、
前記第１の酸化物半導体膜上の第２のゲート絶縁膜と、
前記第２のゲート絶縁膜上の第２の酸化物半導体膜と、を有し、
前記第２の酸化物半導体膜は、第２のゲート電極として機能する領域を有し、
前記第２の酸化物半導体膜と重なる領域において、前記第１の酸化物半導体膜は、第１の層と、前記第１の層の上面と接し、且つ前記第１の層のチャネル幅方向の側面を覆う第２の層と、前記第１の層の下面と接する第３の層と、を有することを特徴とする半導体装置。
【請求項３】
請求項１または請求項２において、
前記第１のゲート電極は、前記第２のゲート電極と電気的に接続されていることを特徴とする半導体装置。
【請求項４】
請求項１乃至請求項３のいずれか一項において、
前記第１の酸化物半導体膜のソース領域及びドレイン領域は、水素、ホウ素、炭素、窒素、フッ素、リン、硫黄、または希ガスの１以上を有することを特徴とする半導体装置。
【請求項５】
請求項１乃至請求項４のいずれか一項において、
前記第１の酸化物半導体膜、及び前記第２の酸化物半導体膜の少なくとも一方は、Ｉｎと、Ｚｎと、Ｍ（ＭはＡｌ、Ｇａ、Ｙ、またはＳｎ）と、を有することを特徴とする半導体装置。
【請求項６】
請求項１乃至請求項５のいずれか一項において、
前記第１の酸化物半導体膜、及び前記第２の酸化物半導体膜の少なくとも一方は、ｃ軸配向性を有する結晶を有することを特徴とする半導体装置。
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
ガラス基板等の被処理基板に対してスプレイ方式のエッチング処理を行うように構成されたスプレイエッチング装置であって、
所定の搬送方向に順次搬送される被処理基板に対してエッチング液をスプレイするように構成された移動可能なスプレイ配管ユニットを少なくとも含むエッチングチャンバと、
前記スプレイ配管ユニットに対してエッチング液を供給するように構成される送液ユニットと、
少なくとも前記スプレイ配管ユニットに対して前記エッチングチャンバの外側から駆動力を伝達するように構成された駆動ユニットと、
を含み、
前記送液ユニット、前記エッチングチャンバ、および前記駆動ユニットが被処理基板の搬送方向に直交する幅方向に配列されており、
前記スプレイ配管ユニットが、エッチング液を吐出するスプレイノズルが複数設けられたスプレイ配管を複数配列してフレーム部材またはケーシング部材によってユニット化してなり、かつ、
前記スプレイ配管ユニットは、その脚部が前記幅方向に延びる直線状のガイド部材にスライド自在に支持されており、
前記駆動ユニットは、前記スプレイ配管ユニットが前記ガイド部材に沿って往復スライド移動するための力を前記スプレイ配管ユニットに加えるように構成されることを特徴とするスプレイエッチング装置。
【請求項２】
前記スプレイ配管ユニットの脚部の素材と、前記ガイド部材の素材とが同一でないことを特徴とする請求項１に記載のスプレイエッチング装置。
【請求項３】
前記スプレイ配管ユニットは、被処理基板の搬送経路の上側に配置された上側スプレイ配管ユニットと、被処理基板の搬送経路の下側に配置された下側スプレイ配管ユニットとからなっており、
前記送液ユニットの下部と前記上側スプレイ配管ユニットとが可撓性を備えたホースによって接続されるとともに、前記送液ユニットの上部と前記下側スプレイ配管ユニットとが可撓性を備えたホースによって接続されることを特徴とする請求項１または２に記載のスプレイエッチング装置。
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
シリコン単結晶からなるボンドウェーハの表面から水素イオン及び希ガスイオンのうち少なくとも１種類のガスイオンをイオン注入してイオン注入層を形成し、前記ボンドウェーハの前記イオン注入した表面と、シリコン単結晶からなるベースウェーハの表面とを、該ベースウェーハ表面に形成されたシリコン酸化膜を介して貼り合わせた後、剥離熱処理を行って前記イオン注入層で前記ボンドウェーハを剥離することにより、前記ベースウェーハ上に埋め込み酸化膜層とＳＯＩ層とを有するＳＯＩウェーハを作製し、該ＳＯＩウェーハに対してアルゴンガス含有雰囲気で平坦化熱処理を行うＳＯＩウェーハの製造方法において、
前記剥離熱処理後に、他の熱処理を挟まずに、前記ＳＯＩウェーハのテラス部のシリコン酸化膜上に存在するシリコン薄片を除去する処理を行った後に、前記アルゴンガス含有雰囲気で平坦化熱処理を行うＳＯＩウェーハの製造方法であり、
前記シリコン薄片を除去する処理として、ＨＦを含有する水溶液を用い、前記テラス部のシリコン酸化膜を減厚するエッチングを行う、又は、物理的作用で洗浄を行うことで前記シリコン薄片を除去することを特徴とするＳＯＩウェーハの製造方法。
【請求項２】
前記シリコン薄片を除去する処理を行った後、前記アルゴンガス含有雰囲気で平坦化熱処理を行う前に、前記ＳＯＩウェーハのＳＯＩ層に犠牲酸化処理を行うことを特徴とする請求項１に記載のＳＯＩウェーハの製造方法。
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
撮像装置の姿勢を取得する取得手段と、
静止画と、静止画撮影前に撮影した動画を記録媒体に記録するように制御する制御手段と、
を有し、
前記制御手段は、前記静止画撮影前に撮影した動画に前記取得手段により取得した静止画撮影時の前記撮像装置の姿勢に応じた処理を施してから、前記記録媒体に記録するように制御することを特徴とする撮像装置。
【請求項２】
前記制御手段は、前記取得手段により取得した静止画撮影時の前記撮像装置の姿勢を前記静止画撮影前に撮影した動画の姿勢情報として付加してから、前記記録媒体に記録するように制御することを特徴とする請求項１に記載の撮像装置。
【請求項３】
前記制御手段は、前記取得手段により取得した前記静止画撮影時の前記撮像装置の姿勢に応じて、前記静止画撮影前に撮影した動画に回転処理を施してから、前記記録媒体に記録するように制御することを特徴とする請求項１に記載の撮像装置。
【請求項４】
前記制御手段は、動画の撮影指示に応じて撮影開始した動画と、当該動画の撮影中であって当該動画の撮影開始後に受け付けた静止画撮影指示に応じて撮影した静止画とを記録するように制御することを特徴とする請求項１乃至３のいずれか１項に記載の撮像装置。
【請求項５】
前記制御手段は、動画撮影開始時、又は、動画撮影終了時の前記撮像装置の姿勢に関わらず、前記静止画撮影時の前記撮像装置の姿勢に応じた処理を前記動画に施すことを特徴とする請求項４に記載の撮像装置。
【請求項６】
前記制御手段は、静止画撮影指示に応じて撮影した静止画と、当該静止画撮影前に撮影した所定期間の動画を記録するように制御することを特徴とする請求項１乃至３のいずれか１項に記載の撮像装置。
【請求項７】
前記制御手段は、前記静止画の撮影指示の前に撮影した所定期間の動画を、前記静止画の撮影指示に応じて記録するように制御することを特徴とする請求項６に記載の撮像装置。
【請求項８】
撮像装置の姿勢を取得する取得工程と、
静止画と、静止画撮影前に撮影した動画を記録媒体に記録するように制御する制御工程と、
を含み、
前記制御工程では、前記静止画撮影前に撮影した動画に前記取得工程において取得した静止画撮影時の前記撮像装置の姿勢に応じた処理を施してから、前記記録媒体に記録するように制御することを特徴とする撮像装置の制御方法。
【請求項９】
コンピュータを、
撮像装置の姿勢を取得する取得手段と、
静止画と、静止画撮影前に撮影した動画を記録媒体に記録するように制御する制御手段と、
して機能させるためのプログラムで、
前記制御手段は、前記静止画撮影前に撮影した動画に前記取得手段により取得した静止画撮影時の前記撮像装置の姿勢に応じた処理を施してから、前記記録媒体に記録するように制御することを特徴とするプログラム。
【手続補正２】
【補正対象書類名】明細書
【補正対象項目名】０００６
【補正方法】変更
【補正の内容】
【０００６】
そこで、本発明は、撮像装置の姿勢を取得する取得手段と、静止画と、静止画撮影前に撮影した動画を記録媒体に記録するように制御する制御手段と、を有し、前記制御手段は、前記静止画撮影前に撮影した動画に前記取得手段により取得した静止画撮影時の前記撮像装置の姿勢に応じた処理を施してから、前記記録媒体に記録するように制御することを特徴とする。
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
装置本体に設けられ、シートの画像を読み取る画像読取手段と、
前記装置本体の上面に設けられ、前記画像読取手段により画像が読み取られるシートが載置される透明部材と、
前記透明部材に対して回動可能であり、前記透明部材に対して開いた位置である第１の位置と、前記透明部材に対して閉じた位置である第２の位置と、の間を移動可能な押さえ手段と、
前記装置本体に設けられた第１係合部材と、前記押さえ手段に設けられた第２係合部材と、を有し、前記第１係合部材及び前記第２係合部材が係合することにより前記押さえ手段を前記第２の位置に保持する保持手段と、
前記押さえ手段に設けられ、前記保持手段による前記押さえ手段の保持を解除する保持解除手段と、を備え、
前記保持解除手段は、
把手部と、
前記押さえ手段に設けられた支持部に両端側が回転自在に軸支されると共に、前記把手部と前記第２係合部材とを連結する連結部材と、
前記把手部と前記第２係合部材との間の当接位置において、前記連結部材に当接することによって前記連結部材の所定量以上の撓みを規制する規制手段と、を備えることを特徴とする画像読取装置。
【請求項２】
前記把手部が操作されていない状態のとき、前記連結部材と前記規制手段との間には所定の間隙が形成されていることを特徴とする請求項１に記載の画像読取装置。
【請求項３】
前記連結部材は軸状の形状を有し、
前記連結部材の軸方向において、前記当接位置に関して前記連結部材の一端側に前記把手部が設けられ、前記軸方向において、前記当接位置に関して前記連結部材の他端側に前記第２係合部材が設けられていることを特徴とする請求項１又は２に記載の画像読取装置。
【請求項４】
前記把手部が操作されることに起因して前記連結部材が回転することにより、前記第１係合部材と前記第２係合部材との係合が解除されることを特徴とする請求項１乃至３の何れか１項に記載の画像読取装置。
【請求項５】
前記規制手段は、前記連結部材が挿通されると共に、前記把手部が操作されていない状態のときには、前記規制手段の内面と前記連結部材との間の間隙のうち、前記連結部材が撓む方向に形成される間隙が最も大きくなるような形状を有することを特徴とする請求項１乃至４の何れか１項に記載の画像読取装置。
【請求項６】
前記規制手段の前記内面には、前記連結部材が撓んだ際に前記連結部材と当接する湾曲形状を有する当接面が形成されていることを特徴とする請求項５に記載の画像読取装置。
【請求項７】
前記規制手段の前記内面には、前記連結部材が撓んだ際に前記連結部材と当接する当接面が形成されると共に、前記当接面と対向する部分が開放された形状を有することを特徴とする請求項５に記載の画像読取装置。
【請求項８】
前記装置本体に設けられ、前記押さえ手段を回動可能に支持し、前記押さえ手段を前記第１の位置又は前記第２の位置に移動させるヒンジ部を備え、
前記押さえ手段は、前記保持手段による保持から開放されると、前記ヒンジ部の弾性力によって所定の角度まで上方回動されることを特徴とする請求項１乃至７の何れか１項に記載の画像読取装置。
【請求項９】
前記押さえ手段の回動端には、前記保持解除手段と、前記第２係合部材と、が設けられ、
前記装置本体の上面かつ前記押さえ手段が前記第２の位置にあるときの前記第２係合部材と対応する位置に、前記第１係合部材が設けられることを特徴とする請求項１乃至８の何れか１項に記載の画像読取装置。
【請求項１０】
前記第１係合部材及び前記第２係合部材の一方は磁石であり、前記第１係合部材及び前記第２係合部材の他方は前記磁石と磁気的に係合する磁性部材であることを特徴とする請求項１乃至９の何れか１項に記載の画像読取装置。
【請求項１１】
前記第１係合部材及び前記第２係合部材の一方はフック部材であり、前記第１係合部材及び前記第２係合部材の他方は前記フック部材が係止される被係止部材であることを特徴とする請求項１乃至９の何れか１項に記載の画像読取装置。
【請求項１２】
前記押さえ手段は、シートを搬送するシート搬送部を有し、
前記画像読取手段は、前記透明部材に載置されたシートの画像を読み取る第１読取位置及び前記シート搬送部により搬送されたシートの画像を読み取る第２読取位置に移動可能であり、
前記第１係合部材は、前記画像読取手段の移動方向において、前記第２読取位置に位置する前記画像読取手段に重なるように配置され、
前記把手部は、前記移動方向において前記押さえ手段の中央部に設けられることを特徴とする請求項１乃至１１の何れか１項に記載の画像読取装置。
【請求項１３】
シートの画像を読み取る請求項１乃至１２の何れか１項に記載の画像読取装置と、前記画像読取装置により読み取られた画像情報に基づいて画像を形成する画像形成部と、を備えることを特徴とする画像形成装置。
【手続補正２】
【補正対象書類名】明細書
【補正対象項目名】００１２
【補正方法】変更
【補正の内容】
【００１２】
本発明は、画像読取装置において、装置本体に設けられ、シートの画像を読み取る画像読取手段と、前記装置本体の上面に設けられ、前記画像読取手段により画像が読み取られるシートが載置される透明部材と、前記透明部材に対して回動可能であり、前記透明部材に対して開いた位置である第１の位置と、前記透明部材に対して閉じた位置である第２の位置と、の間を移動可能な押さえ手段と、前記装置本体に設けられた第１係合部材と、前記押さえ手段に設けられた第２係合部材と、を有し、前記第１係合部材及び前記第２係合部材が係合することにより前記押さえ手段を前記第２の位置に保持する保持手段と、前記押さえ手段に設けられ、前記保持手段による前記押さえ手段の保持を解除する保持解除手段と、を備え、前記保持解除手段は、把手部と、前記押さえ手段に設けられた支持部に両端側が回転自在に軸支されると共に、前記把手部と前記第２係合部材とを連結する連結部材と、前記把手部と前記第２係合部材との間の当接位置において、前記連結部材に当接することによって前記連結部材の所定量以上の撓みを規制する規制手段と、を備えることを特徴とするものである。
【手続補正３】
【補正対象書類名】明細書
【補正対象項目名】００１３
【補正方法】変更
【補正の内容】
【００１３】
本発明のように、連結部材に当接する規制手段によって連結部材の所定量以上の撓みを規制することにより、押さえ手段の保持を解除する際の操作性を向上させることができる。
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
外部の装置との無線通信を可能にするために画像形成装置に組み込まれる基板であって、
前記無線通信で用いられる電波を受信するパターンが形成され、かつ、前記パターンが形成された面と反対の面に静電気除去部材が配置されることを特徴とする基板。
【請求項２】
前記基板は、前記画像形成装置の操作部の内部に組み込まれる基板であることを特徴とする請求項１に記載の基板。
【請求項３】
前記静電気除去部材は、静電気をグラウンドへ放出する部材であることを特徴とする請求項１又は２に記載の基板。
【請求項４】
前記基板は、前記静電気除去部材が配置された面と同じ面に、更に静電気をグラウンドへ放出する部材が配置されることを特徴とする請求項１乃至３のいずれか１項に記載の基板。
【請求項５】
前記基板は、当該基板を前記画像形成装置の筐体に接続するための取り付け部をさらに有し、
静電気をグラウンドに放出する前記部材は、前記取り付け部に取り付けられた金属部材を介して静電気をグラウンドに放出することを特徴とする請求項３又は４に記載の基板。
【請求項６】
前記静電気除去部材は、導電性のシートであることを特徴とする請求項１乃至５のいずれか１項に記載の基板。
【請求項７】
前記静電気除去部材は、アルミ製のシートであることを特徴とする請求項６に記載の基板。
【請求項８】
前記基板の前記パターンの端部と、前記静電気除去部材の端部の位置とが略一致するように配置されることを請求項１乃至７のいずれか１項に記載の基板。
【請求項９】
前記基板は、前記無線通信の制御を行う制御部を備え、
前記パターンは、前記制御部に接続されていることを特徴とする請求項１乃至８のいずれか１項に記載の基板。
【請求項１０】
前記静電気除去部材の面積は、前記パターンで囲まれた面積よりも小さいことを特徴とする請求項１乃至９のいずれか１項に記載の基板。
【請求項１１】
前記静電気除去部材の面積は、前記パターンで囲まれた面積の３分の１以下であることを特徴とする請求項１０に記載の基板。
【請求項１２】
前記無線通信は、ＮＦＣ（Near Field Communication）通信であることを特徴とする請求項１乃至１１のいずれか１項に記載の基板。
【請求項１３】
請求項１乃至１２のいずれか１項に記載の基板を有することを特徴とする画像形成装置。
【手続補正２】
【補正対象書類名】明細書
【補正対象項目名】発明の名称
【補正方法】変更
【補正の内容】
【発明の名称】基板とその基板を有する画像形成装置
【手続補正３】
【補正対象書類名】明細書
【補正対象項目名】０００１
【補正方法】変更
【補正の内容】
【０００１】
本発明は、基板とその基板を有する画像形成装置に関する。
【手続補正４】
【補正対象書類名】明細書
【補正対象項目名】０００６
【補正方法】変更
【補正の内容】
【０００６】
本発明の目的は、画像形成装置全体のサイズの増大を抑え、かつアンテナの特性への影響を少なくして、静電気によるノイズの発生を抑制する技術を提供することにある。
【手続補正５】
【補正対象書類名】明細書
【補正対象項目名】０００７
【補正方法】変更
【補正の内容】
【０００７】
上記目的を達成するために本発明の一態様に係る基板は以下のような構成を備える。即ち、
外部の装置との無線通信を可能にするために画像形成装置に組み込まれる基板であって、
前記無線通信で用いられる電波を受信するパターンが形成され、かつ、前記パターンが形成された面と反対の面に静電気除去部材が配置されることを特徴とする。
【手続補正６】
【補正対象書類名】明細書
【補正対象項目名】０００８
【補正方法】変更
【補正の内容】
【０００８】
本発明によれば、基板と静電気除去部材とを一体化した構造とするため、コンパクトで、かつアンテナ特性への影響を少なくできるという効果がある。